(57)【要約】【課題】簡易な構成により、ブローバイガスに含まれるオイルを分離できるオイルセパレータを提供する。【解決手段】ケース１０は、互いに対向するとともに流路を構成する第１壁部２１及び第２壁部２２と、第１壁部２１と第２壁部２２とを連結するとともに流路７０をブローバイガスの流れ方向の上流側に位置する上流側流路７１と下流側に位置する下流側流路７２とに区画する区画壁部２３と、を有する。オイル分離部２０は、区画壁部２３を貫通する絞り孔２４と、第１壁部２１の一部として設けられ、絞り孔２４の軸線上に位置するとともに絞り孔２４を通過したブローバイガスが衝突する衝突面２５ａを有する段差部２５とを有し、段差部２５に付着したオイルが絞り孔２４を通じて上流側流路７１に排出可能とされている。【選択図】図２
2019138209.tif 000002
【特許請求の範囲】
【請求項１】
流入口及び流出口を有し、前記流入口から前記流出口に向けてブローバイガスが流れる流路を内部に有するケースと、前記ケース内部に設けられ、前記ブローバイガスに含まれるオイルを分離するオイル分離部と、を備え、前記オイル分離部により分離されたオイルを、前記流入口を通じて排出するオイルセパレータであって、
前記ケースは、互いに対向するとともに前記流路を構成する第１壁部及び第２壁部と、前記第１壁部と前記第２壁部とを連結するとともに前記流路をブローバイガスの流れ方向の上流側に位置する上流側流路と下流側に位置する下流側流路とに区画する区画壁部と、を有し、
前記オイル分離部は、前記区画壁部を貫通する絞り孔と、前記第１壁部の一部として設けられ、前記絞り孔の軸線上に位置するとともに前記絞り孔を通過したブローバイガスが衝突する衝突面を有する段差部とを有し、
前記段差部に付着したオイルが前記絞り孔を通じて前記上流側流路に排出可能とされている、
オイルセパレータ。
【請求項２】
前記ケースが機関本体の側面に取り付けられる、
請求項１に記載のオイルセパレータ。
【請求項３】
前記流出口は、前記流入口よりも上方に設けられ、
前記第１壁部は、前記ケースの第１側壁の内面から同第１側面に対向する第２側壁に向けて突出しており、
前記第２壁部は、前記ケースの前記第２側壁の内面から前記第１側壁に向けて突出するとともに前記第１壁部よりも上方に位置しており、
前記区画壁部は、上下方向に延在しており、
前記絞り孔は、前記区画壁部の下部に設けられており、
前記衝突面は、前記段差部の側面により構成されている、
請求項２に記載のオイルセパレータ。
【請求項４】
前記第１壁部は、前記第１側壁からの前記第１壁部の突出方向における先端側ほど下方に位置するように傾斜している、
請求項３に記載のオイルセパレータ。
【請求項５】
上下方向における前記流入口と前記第１壁部との間には、遮蔽板部が設けられている、
請求項３または請求項４に記載のオイルセパレータ。
【発明の詳細な説明】
【技術分野】
【０００１】
本発明は、内燃機関のブローバイガスに含まれるオイルを分離するオイルセパレータに関する。
【背景技術】
【０００２】
この種のオイルセパレータとしては、例えばシリンダブロックの側面に取り付けられるものがある（例えば、特許文献１参照）。同文献１に記載のオイルセパレータは、シリンダブロックの側面に取り付けられるケース、及びケースの側壁から突設され、ケース内の空間を上下に仕切る仕切り板を備えている。また、オイルセパレータは、ケースの底壁に設けられ、クランクケース内のブローバイガスをケース内に導入する導入路、及びケースの側壁の上部に設けられ、ケース内のブローバイガスを吸気通路に排出する排出路を備えている。仕切り板は、ケースの側壁から突設され、同側壁から離間するほど下方に位置するように水平方向に対して傾斜した傾斜壁部と、同傾斜部の先端部から下方に向けて延びる垂下壁部とを有している。仕切り板の傾斜壁部には、ブローバイガスの流速を高めるための絞り通路が上下に貫通して設けられている。また、ケース内における仕切り板の上方には、ケースの側壁から突設され、絞り通路を通過したブローバイガスが衝突する衝突板が設けられている。
【０００３】
こうしたオイルセパレータにおいては、ブローバイガスは導入路を通じてケース内に導入され、絞り通路を通過して上方に向けて流れる。そして、ブローバイガスに含まれるオイルミストが、衝突板に衝突して付着することでブローバイガスから分離される。また、衝突板に付着したオイルは自重により傾斜壁部上に滴下され、垂下壁部とケースの壁部との隙間を通ってケースの底壁上に流れ落ちる。こうして流れ落ちたオイルは、導入路からケース外へ排出される。
【先行技術文献】
【特許文献】
【０００４】
【特許文献１】特開２００６−７０７６６号公報
【発明の概要】
【発明が解決しようとする課題】
【０００５】
ところで、特許文献１に記載のオイルセパレータでは、衝突板によって分離されたオイルをケース外へ排出するために、傾斜壁部及び垂下壁部を有する仕切り板を設けている。そのため、こうした仕切り板や衝突板によってオイルセパレータの構成が複雑になったり、体格が大きくなったりするといった不都合がある。
【０００６】
本発明の目的は、簡易な構成により、ブローバイガスに含まれるオイルを分離できるオイルセパレータを提供することにある。
【課題を解決するための手段】
【０００７】
上記目的を達成するためのオイルセパレータは、流入口及び流出口を有し、前記流入口から前記流出口に向けてブローバイガスが流れる流路を内部に有するケースと、前記ケース内部に設けられ、前記ブローバイガスに含まれるオイルを分離するオイル分離部と、を備え、前記オイル分離部により分離されたオイルを、前記流入口を通じて排出するオイルセパレータであって、前記ケースは、互いに対向するとともに前記流路を構成する第１壁部及び第２壁部と、前記第１壁部と前記第２壁部とを連結するとともに前記流路をブローバイガスの流れ方向の上流側に位置する上流側流路と下流側に位置する下流側流路とに区画する区画壁部と、を有し、前記オイル分離部は、前記区画壁部を貫通する絞り孔と、前記第１壁部の一部として設けられ、前記絞り孔の軸線上に位置するとともに前記絞り孔を通過したブローバイガスが衝突する衝突面を有する段差部とを有し、前記段差部に付着したオイルが前記絞り孔を通じて前記上流側流路に排出可能とされている。
【０００８】
同構成によれば、ケース内部のブローバイガス流路のうち第１壁部と第２壁部とにより構成される部分を流れるブローバイガスは、区画壁部の絞り孔を通過して第１壁部の一部として設けられた段差部の衝突面に衝突することとなる。このため、ブローバイガスに含まれるオイルミストは、衝突面や衝突面に連なる段差部に付着することで、ブローバイガスから分離される。また、段差部に付着したオイルは、段差部と区画壁部との間に溜められることとなる。こうして溜められたオイルは、絞り孔を通じて上流側流路に排出される。このため、オイルを排出する専用の排出孔を絞り孔とは別に設ける構成に比べて、オイルセパレータの構成を簡単にすることができる。
【発明の効果】
【０００９】
本発明によれば、簡易な構成により、ブローバイガスに含まれるオイルを分離できる。
【図面の簡単な説明】
【００１０】
【図１】オイルセパレータの一実施形態について、セパレータ全体を示す斜視図。
【図２】同実施形態の内ケースの内部構造を示す側面図。
【図３】同実施形態の内ケースの段差部を中心として拡大して示す拡大側面図。
【図４】同実施形態の外ケースの内部構造を示す側面図。
【図５】同実施形態の外ケースの段差部を中心として拡大して示す拡大側面図。
【図６】同実施形態の外ケースの段差部を中心として拡大して示す拡大斜視図。
【図７】図６の７−７線に沿ったケースの断面図。
【図８】第１変更例のオイルセパレータについて、オイル分離部を中心として拡大して示す拡大断面図。
【図９】第２変更例のオイルセパレータについて、オイル分離部を中心として拡大して示す拡大断面図。
【図１０】第３変更例のオイルセパレータについて、外ケースの段差部を中心として拡大して示す拡大側面図。
【発明を実施するための形態】
【００１１】
以下、図１〜図７を参照して、一実施形態について説明する。
本実施形態のオイルセパレータは、内燃機関の機関本体を構成するシリンダブロックの側面に取り付けられ、ブローバイガスに含まれるオイルを気液分離して、吸気通路に還流する還流通路（いずれも図示略）の途中に設けられるものである。
【００１２】
図１に示すように、本実施形態のオイルセパレータは、シリンダブロック（図示略）の側面に取り付けられるケース１０を備えている。
ケース１０は、シリンダブロックの側面に取り付けられる内ケース３０と、内ケース３０を挟んでシリンダブロックとは反対側に設けられ、内ケース３０に対して接合された外ケース５０とにより構成されている。図示は省略するが、内ケース３０の周縁部には、シリンダブロックに対して内ケース３０を取り付けるボルトが挿通される複数の挿通孔が設けられている。内ケース３０及び外ケース５０は、共に硬質の合成樹脂材料により形成されている。
【００１３】
なお、以降において、シリンダブロックの側面に対してケース１０が対向する方向を対向方向とするとともに、上下方向及び対向方向の双方に直交する方向を幅方向として説明する。また、対向方向のうちシリンダブロックに近接する側を内側とし、シリンダブロックから離間する側を外側として説明する。
【００１４】
まず、内ケース３０について説明する。
図１〜図３に示すように、内ケース３０は、側面視略長方形状をなし、シリンダブロックの側面に対向する内側対向壁３１と、内側対向壁３１の周縁から全周にわたって外側に向けて突出された周壁３２とを有している。
【００１５】
図２及び図３に示すように、周壁３２は、幅方向において互いに対向する第１側壁３３及び第２側壁３４を有している。
図１及び図２に示すように、内側対向壁３１の下部には、シリンダブロック内のブローバイガスが流入する第１流入口１６及び第２流入口１７が、幅方向（図２の左右方向）に互いに間隔をおいて設けられている。また、内側対向壁３１の上部には、還流通路の下流側に向けてブローバイガスが流出する流出口１８が設けられている。流出口１８は、周壁３２の第１側壁３３よりも第２側壁３４に近接して設けられている。本実施形態では、流出口１８が、幅方向において第１流入口１６に対して第２流入口１７とは反対側（図２の右側）に設けられている。
【００１６】
＜第１壁部４１＞
図２及び図３に示すように、第１側壁３３の内面からは、第２側壁３４に向けて第１壁部４１が突設されている。第１壁部４１は、その突出方向の全体にわたって内側対向壁３１の内面に連結されている。第１壁部４１の突出方向の先端部４１ａは、周壁３２の第２側壁３４よりも第１側壁３３に近接している（図２参照）。第１壁部４１の全体は、第１壁部４１の突出方向における先端側ほど下方に位置するように傾斜している。また、第１壁部４１の突出方向における途中には、第１壁部４１の先端側（同図の右側）に向けて下り段差の段差部４５が設けられている。なお、第１壁部４１の上面のうち段差部４５よりも基端側（同図の左側）の部分と、段差部４５よりも先端側の部分とは平行をなしている。
【００１７】
＜第２壁部４２＞
図２及び図３に示すように、第２側壁３４の内面からは、第１側壁３３に向けて第２壁部４２が突設されている。第２壁部４２は、その突出方向の全体にわたって内側対向壁３１の内面に連結されている。第２壁部４２は、第１壁部４１よりも上方に位置しており、第２壁部４２の突出方向の先端部４２ａは、第１壁部４１の段差部４５の直上に位置している。第２壁部４２の全体は、第２壁部４２の突出方向における先端側ほど下方に位置するように傾斜している。
【００１８】
＜区画壁部４３＞
第１壁部４１の上面における先端部４１ａと段差部４５との間の部分と、第２壁部４２の下面とは、上下方向に延在する区画壁部４３により連結されている。区画壁部４３は、その延在方向（上下方向）の全体にわたって内側対向壁３１の内面に連結されている。
【００１９】
図２、図３及び図７に示すように、区画壁部４３の下部には、区画壁部４３をその厚さ方向に貫通する絞り孔２４が設けられている。絞り孔２４は、区画壁部４３における外側の部分に設けられている（図７参照）。絞り孔２４は、断面円形状をなしており、第１壁部４１の上面に沿って延在している。ここで、絞り孔２４の軸線上に段差部４５の側面である衝突面４５ａが位置している。
【００２０】
内側対向壁３１の下部には、第１壁部４１の先端部４１ａと、幅方向において先端部４１ａと対向する周壁３２との間を通じたブローバイガスの流れを遮蔽する遮蔽板部３５が突設されている。遮蔽板部３５は、上下方向における各流入口１６，１７と第１壁部４１との間に位置している。また、遮蔽板部３５は、幅方向において第１側壁３３から離間するほど下方に位置するように傾斜している。
【００２１】
内ケース３０の周壁３２、第１壁部４１、第２壁部４２及び区画壁部４３の各々における外側の端面は、後述する外ケース５０が接合される接合面３６とされている。
図１及び図２に示すように、内側対向壁３１の上部には、内側に向かって膨出する第１膨出部３１ａ及び第２膨出部３１ｂが第２壁部４２を挟んで上下に隣り合って設けられている。
【００２２】
次に、外ケース５０について説明する。
図４及び図５に示すように、外ケース５０は、側面視略長方形状をなし、内ケース３０の内側対向壁３１に対向する外側対向壁５１と、外側対向壁５１の周縁から全周にわたって内側に向けて突出された周壁５２とを有している。
【００２３】
周壁５２は、幅方向において互いに対向する第１側壁５３及び第２側壁５４を有している。
図４〜図６に示すように、外ケース５０の内部構造は、内ケース３０の内部構造に対応した形状を有している。したがって、以降において、外ケース５０の各構成のうち内ケース３０の各構成に対応するものについては、内ケース３０の符号「３＊」及び「４＊」に対して「２０」を加算した符号「５＊」及び「６＊」を付すことにより重複する説明を省略する場合がある。
【００２４】
＜第１壁部６１＞
図４〜図６に示すように、第１側壁５３の内面からは、第１壁部６１が突設されている。第１壁部６１は、その突出方向の全体にわたって外側対向壁５１の内面に連結されている。
【００２５】
＜第２壁部６２＞
図４〜図６に示すように、第２側壁５４の内面からは、第１側壁５３に向けて第２壁部６２が突設されている。第２壁部６２は、その突出方向の全体にわたって外側対向壁５１の内面に連結されている。
【００２６】
＜区画壁部６３＞
図４〜図６に示すように、第１壁部６１と第２壁部６２の下面とは、上下方向に延在する区画壁部６３により連結されている。区画壁部６３は、その延在方向（上下方向）の全体にわたって外側対向壁５１の内面に連結されている。
【００２７】
図４〜図７に示すように、区画壁部６３の上部には、区画壁部６３をその厚さ方向に貫通する貫通孔６４が設けられている。貫通孔６４は、区画壁部６３における外側の部分に設けられている（図６及び図７参照）。貫通孔６４は、断面円形状をなしており、第１壁部６１の上面に沿って延在している。
【００２８】
段差部６５と第２壁部６２の先端部６２ａとは、上下方向に延在する連結壁６６によって連結されている。連結壁６６は、その延在方向の全体にわたって外側対向壁５１の内面に連結されている。連結壁６６は、外側対向壁５１の内面から対向方向における第１壁部６１の中央部まで突出している。このため、貫通孔６４の軸線上に連結壁６６が位置している。
【００２９】
外側対向壁５１の下部には、遮蔽板部５５が突設されている。
外側対向壁５１の上部には、遮蔽板部５７が突設されている。遮蔽板部５７は、第２壁部６２の上面と、同上面に対向する周壁５２の内面とを連結している。
【００３０】
図７に示すように、遮蔽板部５７は、内ケース３０の第１膨出部３１ａ内に向けて突出している。遮蔽板部５７の上縁と内ケース３０の周壁３２の内面との間には隙間が設けられている。また、遮蔽板部５７の下縁と内ケース３０の第２壁部４２の上面との間には隙間が設けられている。
【００３１】
外ケース５０の周壁５２、第１壁部６１、第２壁部６２及び区画壁部６３の各々における内側の端面は、内ケース３０の接合面３６に接合される接合面５６とされている。本実施形態では、内ケース３０の接合面３６と外ケース５０の接合面５６とが接合されている。
【００３２】
したがって、本実施形態においては、内ケース３０の第１側壁３３と外ケース５０の第１側壁５３とによってケース１０の第１側壁１３が構成されている。また、内ケース３０の第２側壁３４と外ケース５０の第２側壁５４とによってケース１０の第２側壁１４が構成されている。内ケース３０の遮蔽板部３５と外ケース５０の遮蔽板部５５とによってケース１０の遮蔽板部１５が構成されている。また、内ケース３０の第１壁部４１と外ケース５０の第１壁部６１とによってケース１０の第１壁部２１が構成されている。また、内ケース３０の第２壁部４２と外ケース５０の第２壁部６２とによってケース１０の第２壁部２２が構成されている。また、内ケース３０の区画壁部４３と外ケース５０の区画壁部６３とによってケース１０の区画壁部２３が構成されている。また、内ケース３０の段差部４５と外ケース５０の段差部６５とによってケース１０の段差部２５が構成されている。内ケース３０の段差部４５の衝突面４５ａと外ケース５０の段差部６５の衝突面６５ａとによってケース１０の衝突面２５ａが構成されている。
【００３３】
こうしたケース１０の内部には、各流入口１６，１７から流出口１８に向けてブローバイガスの流れる流路７０が形成されている。また、第１壁部２１と第２壁部２２とにより、流路７０の一部が構成されている。また、流路７０は、区画壁部２３によって、ブローバイガスの流れ方向の上流側となる上流側流路７１と、下流側となる下流側流路７２とに区画されている。流路７０の上流側流路７１と下流側流路７２とは、絞り孔２４及び貫通孔６４を通じてのみ連通されている。
【００３４】
本実施形態では、絞り孔２４と段差部２５とによりオイル分離部２０が構成されている。
本実施形態の作用について説明する。
【００３５】
本実施形態のオイルセパレータは、シリンダブロックの側面に取り付けられている。そのため、ブローバイガスに加えて、クランクケース内においてクランクシャフトの回転に伴って飛散する液状のオイルが、流入口１６，１７からケース１０内に流入することとなる。
【００３６】
ここで、オイルミストセパレータの上流側流路７１には、遮蔽板部１５、第１壁部２１、及び第２壁部２２が設けられている。このため、ケース１０内に流入した液状のオイルやブローバイガスに含まれるオイルミストが、遮蔽板部１５の下面や第１壁部２１の下面、第２壁部２２の下面に衝突して付着することとなる（以上、作用１）。付着したオイルは自重により落下して流入口１６，１７を通じてシリンダブロック内へ排出される。
【００３７】
一方、流入口１６，１７からケース１０内に流入したブローバイガスのうち遮蔽板部１５と第１壁部２１との間を通過したものや、遮蔽板部１５と第２側壁１４との間を通過したものは、区画壁部２３に衝突して付着することとなる。付着したオイルは自重により落下して流入口１６，１７を通じてシリンダブロック内へ排出される。
【００３８】
他方、区画壁部２３に衝突することなく絞り孔２４を通過したブローバイガスは、段差部２５の衝突面２５ａに衝突する。また、貫通孔６４を通過したブローバイガスは、連結壁６６に衝突する。ここで、絞り孔２４及び貫通孔６４の通路断面積は、それぞれ上流側流路７１の通路断面積よりも小さいため、絞り孔２４及び貫通孔６４を通過することでブローバイガスの流速が高められる。これにより、ブローバイガスの慣性力が高められ、ブローバイガスに含まれるオイルミストが衝突面２５ａ及び連結壁６６に付着しやすくなる。このようにして、ブローバイガスからオイルミストが分離される。また、第１壁部２１の基端部の直上においては、第１側壁１３によってブローバイガスの流れ方向が急激に変化する。このため、ブローバイガスに含まれるオイルミストが第１側壁１３の内面に付着することで、ブローバイガスからオイルミストが分離される。このようにしてブローバイガスから分離されたオイルは、段差部２５と区画壁部２３との間に溜められることとなる。こうして溜められたオイルは、機関運転が停止されてブローバイガスが流路７０を流れなくなると、絞り孔２４を通じて上流側流路７１に排出され、各流入口１６，１７からシリンダブロック内へ排出される（以上、作用２）。
【００３９】
本実施形態の効果について説明する。
（１）オイル分離部２０は、区画壁部２３を貫通する絞り孔２４と、第１壁部２１の一部として設けられ、絞り孔２４の軸線上に位置するとともに絞り孔２４を通過したブローバイガスが衝突する衝突面２５ａを有する段差部２５とを有し、段差部２５に付着したオイルが絞り孔２４を通じて上流側流路７１に排出可能とされている。
【００４０】
こうした構成によれば、上記作用２を奏することから、オイルを排出する専用の排出孔を絞り孔２４とは別に設ける構成に比べて、オイルセパレータの構成を簡単にすることができる。
【００４１】
（２）区画壁部２３には、絞り孔２４とは別の貫通孔６４が設けられている。
こうした構成によれば、絞り孔２４にオイルが固着するなどして絞り孔２４の通路断面積が小さくなった場合であっても、貫通孔６４によって上流側流路７１と下流側流路７２との連通状態が確保される。このため、ブローバイガスが流れにくくなったり、オイルが排出されにくくなったりすることを抑制することができる。
【００４２】
（３）ケース１０がシリンダブロックの側面に取り付けられる。このため、搭載上の制約によりシリンダヘッドカバーにオイルセパレータを設けることが難しい場合であっても、オイルセパレータを設けることができる。
【００４３】
（４）流出口１８は、流入口１６，１７よりも上方に設けられている。第１壁部２１は、ケース１０の第１側壁１３の内面から第１側壁１３に対向する第２側壁１４に向けて突出している。第２壁部２２は、ケース１０の第２側壁１４の内面から第１側壁１３に向けて突出するとともに第１壁部２１よりも上方に位置している。区画壁部２３は、上下方向に延在している。絞り孔２４は、区画壁部２３の下部に設けられており、衝突面２５ａは、段差部２５の側面により構成されている。
【００４４】
こうした構成によれば、ブローバイガスは、流入口１６，１７からケース１０内部に流入し、第１壁部２１と第２壁部２２との間を流れ、区画壁部２３の絞り孔２４を通過して第１壁部２１の段差部２５の側面により構成された衝突面２５ａに衝突することとなる。
【００４５】
ここで、絞り孔２４が区画壁部２３の下部に設けられているため、段差部２５と区画壁部２３との間などに溜められるオイルが少量であっても、絞り孔２４を通じて上流側流路７１に排出することができる。したがって、ブローバイガスから分離されたオイルを早期に排出することができる。
【００４６】
（５）第１壁部２１は、第１側壁１３からの第１壁部２１の突出方向における先端側ほど下方に位置するように傾斜している。
こうした構成によれば、段差部２５上に溜められたオイルが自重により第１壁部２１の先端側に向かうようになり、絞り孔２４を通じたオイルの排出が促進されるようになる。したがって、オイルの排出性能を向上できる。
【００４７】
（６）上下方向における流入口１６，１７と第１壁部２１との間には、遮蔽板部１５が設けられている。
こうした構成によれば、上記作用１を奏することから、オイルの分離性能を高めることができる。これにより、オイルによって絞り孔２４が閉塞されることを抑制できる。
【００４８】
（７）オイル分離部２０と流出口１８との間には、遮蔽板部５７が設けられている。
こうした構成によれば、オイル分離部２０を通過したブローバイガスが、遮蔽板部５７に衝突する。このため、オイル分離部２０を通過したブローバイガスに残留するオイルをさらに分離することができる。したがって、オイルの分離性能を一層高めることができる。
【００４９】
本実施形態は、以下のように変更して実施することができる。本実施形態及び以下の変更例は、技術的に矛盾しない範囲で互いに組み合わせて実施することができる。
・下流側流路７２に遮蔽板部５７を複数設けることもできる。また、遮蔽板部５７に加えて、あるいは遮蔽板部５７に代えて、内ケース３０から外ケース５０に向けて突出する遮蔽板部を設けるようにしてもよい。
【００５０】
・下流側流路７２の遮蔽板部５７を省略することもできる。
・上流側流路７１に遮蔽板部１５を複数設けることもできる。
・第１壁部２１は、第１側壁１３からの第１壁部２１の突出方向における先端側ほど下方に位置するように傾斜するものに限定されない。例えば、第１壁部２１が水平方向に沿って延在するものであってもよい。
【００５１】
・絞り孔２４の内周面の最下部が第１壁部４１の上面のうち段差部４５よりも先端側の部分と上下方向において一致するように絞り孔を設けてもよい。この場合、オイルの排出性能を一層高めることができる。
【００５２】
・ケース１０の対向方向（図７における左右方向）に絞り孔２４を複数設けることもできる。
・絞り孔２４及び貫通孔６４の形状は適宜変更できる。例えば、上流側に段付き部を有する段付き孔であってもよいし、下流側ほど断面積が小さくされたテーパ形状であってもよい。
【００５３】
・上記実施形態では、２つの流入口１６，１７を有するオイルセパレータについて例示したが、流入口の数は１つであってもよいし、３つ以上であってもよい。
・衝突面２５ａは、平面でなくてもよく、例えば、凹凸部を有する面であってもよい。この場合、ブローバイガスが衝突する衝突面２５ａの表面積増加が増加し、オイルの分離性能が向上する。
【００５４】
・還流通路における本発明に係るオイルセパレータの下流側に別のオイルセパレータを設けることもできる。
・図８に示すように、第１壁部１２１及び第２壁部１２２は、いずれも上下方向に延在するものであってもよい。この場合、区画壁部１２３は、第１壁部１２１と第２壁部１２２とを連結するとともに上下に延びる流路１７０を上流側流路１７１及び下流側流路１７２に区画する。また、区画壁部１２３の第１壁部１２１に近接する部分に絞り孔１２４を設け、第１壁部１２１における絞り孔１２４よりも下流側に、絞り孔１２４の軸線上に位置する衝突面１２５ａを有する段差部１２５を設けるようにすればよい。この場合においても、絞り孔１２４と、段差部１２５とによってオイル分離部１２０が構成される。
【００５５】
・本発明を、シリンダヘッドカバーに設けられるオイルセパレータに対して適用することもできる。すなわち、図９に示すように、シリンダヘッドカバーの下部及び上部にそれぞれ第１壁部２２１及び第２壁部２２２を設ける。区画壁部２２３は、第１壁部２２１と第２壁部２２２とを連結するとともに流路２７０を上流側流路２７１及び下流側流路２７２に区画する。また、区画壁部２２３の下部に絞り孔２２４を設け、第１壁部２２１における絞り孔２２４よりも下流側に、絞り孔２２４の軸線上に位置する衝突面２２５ａを有する段差部２２５を設けるようにすればよい。この場合においても、絞り孔２２４と、段差部２２５とによってオイル分離部２２０が構成される。
【００５６】
・図１０に示すように、連結壁６６を省略することもできる。この場合、図７に示すように、外ケース５０の区画壁部６３の下部に、貫通孔６４に代えて絞り孔１６４を設ければ、図１０に示すように、絞り孔１６４の軸線上に段差部６５の側面である衝突面６５ａが位置することとなる。このため、絞り孔１６４を通過したブローバイガスが段差部６５の衝突面６５ａに衝突することで、ブローバイガスに含まれるオイルが分離されることとなる。したがって、オイルの分離性能をより一層高めることができる。
【符号の説明】
【００５７】
１０…ケース、１３…第１側壁、１４…第２側壁、１５…遮蔽板部、１６…第１流入口、１７…第２流入口、１８…流出口、２０…オイル分離部、２１…第１壁部、２２…第２壁部、２３…区画壁部、２４…絞り孔、２５…段差部、２５ａ…衝突面、３０…内ケース、３１…内側対向壁、３１ａ…第１膨出部、３１ｂ…第２膨出部、３２…周壁、３３…第１側壁、３４…第２側壁、３５…遮蔽板部、３６…接合面、４１…第１壁部、４１ａ…先端部、４２…第２壁部、４２ａ…先端部、４３…区画壁部、４５…段差部、４５ａ…衝突面、５０…外ケース、５１…外側対向壁、５２…周壁、５３…第１側壁、５４…第２側壁、５５…遮蔽板部、５６…接合面、５７…遮蔽板部、６１…第１壁部、６１ａ…先端部、６２…第２壁部、６２ａ…先端部、６３…区画壁部、６４…貫通孔、６５…段差部、６５ａ…衝突面、６６…連結壁、７０…流路、７１…上流側流路、７２…下流側流路、１２０…オイル分離部、１２１…第１壁部、１２２…第２壁部、１２３…区画壁部、１２４…絞り孔、１２５…段差部、１２５ａ…衝突面、１６４…絞り孔、１７０…流路、１７１…上流側流路、１７２…下流側流路、２２０…オイル分離部、２２１…第１壁部、２２２…第２壁部、２２３…区画壁部、２２４…絞り孔、２２５…段差部、２２５ａ…衝突面、２７０…流路、２７１…上流側流路、２７２…下流側流路。
【図１】
2019138209.tif 000003
【図２】
2019138209.tif 000004
【図３】
2019138209.tif 000005
【図４】
2019138209.tif 000006
【図５】
2019138209.tif 000007
【図６】
2019138209.tif 000008
【図７】
2019138209.tif 000009
【図８】
2019138209.tif 000010
【図９】
2019138209.tif 000011
【図１０】
2019138209.tif 000012